(57)【要約】      （修正有）【課題】フレームの揺動を抑制し得るマッサージ用ベッドの提供。【解決手段】脚部材５の上にフレーム３を載置して支持させその上にマット部材を備えるマッサージ用ベッドである。脚部材５は棒状体とその上端に取り付けられて略水平な主面を有する第１の板状部１３とからなり、フレーム３の下面に取り付けられて略水平な主面を有する第２の板状部１４に第１の板状部１３を主面同士を突き当てて面着されていることを特徴とする。【選択図】図２
0003198146.tif 000002
【実用新案登録請求の範囲】
【請求項１】
脚部材の上にフレームを載置して支持させその上にマット部材を備えるマッサージ用ベッドであって、
前記脚部材は棒状体とその上端に取り付けられて略水平な主面を有する第１の板状部とからなり、前記フレームの下面に取り付けられて略水平な主面を有する第２の板状部に前記第１の板状部を前記主面同士を突き当てて面着されていることを特徴とするマッサージ用ベッド。
【請求項２】
前記第１の板状部及び前記第２の板状部を貫通する締結ねじは、前記フレームに締結されていることを特徴とする請求項１記載のマッサージ用ベッド。
【請求項３】
前記第１の板状部及び前記第２の板状部はそれぞれ前記棒状体及び前記フレームに溶接されて取り付けられていることを特徴とする請求項１又は２に記載のマッサージ用ベッド。
【考案の詳細な説明】
【技術分野】
【０００１】
本考案は、痩身マッサージなどを施術するエステベッドなどとも称されるマッサージ用ベッドに関し、特に脚部材の上にフレームを載置して支持させその上にマット部材を備えるマッサージ用ベッドに関する。
【背景技術】
【０００２】
脚部材の上にフレームを載置して支持させその上にマット部材を備えるベッドについて、フレームの揺れを抑制できるようにすることが検討されている。
【０００３】
例えば、特許文献１では、揺れを抑制することのできるベッドを開示している。脚部材の上面と側部のフレームの内面と前部（又は後部）のフレームの内面とのそれぞれに面接合するよう、正六面体の１つの頂点を含む３面をそれぞれ主面とする３つの板状部を備える接続部材を用いるのである。接続部材は脚部材に接合する面を他のフレームの下端面と面一に位置させて脚部材の上端面にフレームの下端面とともに突き当てられ、固定される。接続部材は、金属製の板材を折り曲げて溶接によって一体に形成されており、これによって離接方向への強度を向上させ、フレームのしなりや揺れに対する安定性が向上するとしている。
【先行技術文献】
【特許文献】
【０００４】
【特許文献１】実用新案登録第３１９６２０２号公報
【考案の概要】
【考案が解決しようとする課題】
【０００５】
ところで、マッサージ用ベッドにおいては、使用者への施術によって、フレームがより揺動しやすく、さらに使用者の体重以外に施術者の体重も併せて支持する必要がある。ここで、施術による揺動に対してフレームを安定的に支持することが求められる。
【０００６】
本考案は、かかる事情に鑑みてなされたものであって、その目的とするところは、フレームの揺動を抑制し得るマッサージ用ベッドを提供することにある。
【課題を解決するための手段】
【０００７】
本考案によるマッサージ用ベッドは、脚部材の上にフレームを載置して支持させその上にマット部材を備えるマッサージ用ベッドであって、前記脚部材は棒状体とその上端に取り付けられて略水平な主面を有する第１の板状部とからなり、前記フレームの下面に取り付けられて略水平な主面を有する第２の板状部に前記第１の板状部を前記主面同士を突き当てて面着されていることを特徴とする。
【０００８】
かかる考案によれば、脚部材からフレームに直接付与される力を板部材に分散させるとともに、互いに面着された第１及び第２の板部材により脚部材のフレームに対する角度変化を抑制してフレームの揺動を抑制することができる。
【０００９】
上記した考案において、前記第１の板状部及び前記第２の板状部を貫通する締結ねじは、前記フレームに締結されていることを特徴としてもよい。かかる考案によれば、脚部材の取り付け構造における剛性を高くし得てフレームの揺動をより抑制することができる。
【００１０】
上記した考案において、前記第１の板状部及び前記第２の板状部はそれぞれ前記棒状体及び前記フレームに溶接されて取り付けられていることを特徴としてもよい。かかる考案によれば、第１の板状部及び第２の板状部をそれぞれ棒状体及びフレームに簡易にかつ強固に取り付けることができて、フレームの揺動を抑制することができる。
【図面の簡単な説明】
【００１１】
【図１】本考案によるマッサージ用ベッドの斜視図である。
【図２】本考案によるマッサージ用ベッドの要部の斜視図である。
【図３】本考案によるマッサージ用ベッドの要部の側断面図である。
【図４】本考案によるマッサージ用ベッドの要部の分解斜視図である。
【考案を実施するための形態】
【００１２】
本考案の１つの実施例によるマッサージ用ベッドについて、図１乃至図４を用いて詳細を説明する。
【００１３】
図１に示すように、マッサージ用のベッド１０は、略長方形の床板１と、その上側面及び側面に貼り付けられたクッション２と、床板１の下側面に固定されたフレーム３と、床板1を貫通してその側面にクッション２の貼り付けられた顔穴４と、フレーム３を支持する脚部材５とを含む。床板１及びクッション２は使用者を支持するマット部材を構成する。
【００１４】
フレーム３は上面視略長方形に並べた４本の金属製の角パイプ材からなり、床板１の下側面（裏面）に固定されている。また、フレーム３の長辺同士の間には、かかる長辺を横切る方向の補助フレーム３’を備え、同様に床板１の下側面に固定させている。
【００１５】
本実施例においては、床板１の外周部分には下方に延びる折り返し部１１（図２及び図３参照）が設けられており、その内側に間隔を空けてフレーム３が固定されている。
【００１６】
図２に示すように、フレーム３を支持する脚部材５は、円柱形状の棒状体からなる本体部１２と、その上端に取り付けられる水平な主面を有する板状部１３とを備える。板状部１３は、例えば溶接によって本体部１２に強固に取り付けられる。
【００１７】
図３を併せて参照すると、フレーム３の下面には略水平な主面を有する板状部１４が取り付けられる。板状部１４は、長方形を形成するフレーム３の４隅の下面において、それぞれ２本の角パイプ材を互いに固定するリブとして取り付けられている。板状部１４は、例えば溶接によってフレーム３に強固に取り付けられる。
【００１８】
脚部材５の板状部１３とフレーム３に取り付けられた板状部１４とは互いに主面同士を突き合わせて面着される。本実施例においては、板状部１３及び板状部１４は、ボルト２１とフレーム３の角パイプ材内部に取り付けられた四角ナット２２とによって締結されている。
【００１９】
図４をさらに併せて参照すると、脚部材５の板状部１３は略扇型の外周形状を有し、その３つの頂点の近傍のそれぞれにボルト２１を挿通させる穴１５を備える。同様に、フレーム３に取り付けられた板状部１４は、板状部１３と同一の外周形状を有し、それぞれの穴１５に相当する位置にボルト２１を挿通させる穴１６を備える。ボルト２１は穴１５及び穴１６に挿通され、フレーム３の内部に設けられた四角ナット２２に締結される。つまり、ボルト２１は板状部１３及び板状部１４を貫通し、四角ナット２２によってフレーム３に締結されている（特に図３参照）。これにより、板状部１３を板状部１４に面着させるにあたり、その剛性を高めることができる。
【００２０】
以上のように、脚部材５は、板状部１３の主面をフレーム３にとりつけられた板状部１４の主面に突き当てて面着させているので、脚部材５からの力をフレーム３に直接与えることなく板状部１３及び板上部１４に分散させ、そして板状部１３の取り付け角度の変化を防止して、これを取り付けた本体部１２の角度の変化を抑制できる。特に、ベッド１０は痩身エステなどのマッサージ用のベッドであり、施術により特にフレーム３にはこれを左右に揺動させようとする大きな負荷が与えられる。これに対し、上記したように脚部材５の角度変化を抑制することで、フレーム３の揺動を抑制できる。
【００２１】
なお、上記した板状部１３及び板状部１４の外周形状は、脚部材５の本体部１２の水平断面の全周に対して外側に位置することが好ましい。例えば、本実施例においては、本体部１２の水平断面の円の直径は７５ｍｍであり、板状部１３の外周形状である扇型において、本体部１２の水平断面に対して最も距離の近い位置の寸法Ｂは１７ｍｍである。このように板状部１３及び板状部１４を本体部１２の水平断面の全周に対して広く取ることにより脚部材５の全方向への角度変化をより確実に抑制してフレーム３の揺動を抑制することができる。なお、板状部１３及び板状部１４の外周形状は上記したように同一形状であると、脚部材５の角度変化を抑制するための形状として互いに無駄がなく、好ましい。
【００２２】
ここまで本考案による代表的実施例について説明したが、本考案は必ずしもこれに限定されるものではない。すなわち、当業者であれば、添付した実用新案登録請求の範囲を逸脱することなく、種々の代替実施例及び改変例を見出すことができるであろう。
【符号の説明】
【００２３】
１  床板
３  フレーム
５  脚部材
１０  ベッド
１３  板状部
１４  板状部
２１  ボルト
２２  四角ナット
【図１】
0003198146.tif 000003
【図２】
0003198146.tif 000004
【図３】
0003198146.tif 000005
【図４】
0003198146.tif 000006